(57)【要約】【課題】  内部にコンクリートが流し込まれる型枠の緩みを生起することなく強固に固定し得るコンクリート構造物の型枠の固定装置を提供する。【解決手段】  コンクリート構造物の横断面形状において相対向する曲線部分の形状にそれぞれ沿うように形成した一組のアングルバンド１３，１４と、一方のアングルバンド１３の両端部と他方のアングルバンド１４の相対向する両端部との間にそれぞれ連結されるとともに、相対向する前記両端部間の寸法をネジで調節可能に形成された一組のタイロッド１５，１６とを有する。【選択図】  図１
2010059671.tif 000002
【特許請求の範囲】
【請求項１】
コンクリート構造物の横断面形状において相対向する部分の形状にそれぞれ沿うように形成した一組のバンドと、
一方の前記バンドの両端部と他方の前記バンドの相対向する両端部との間にそれぞれ連結されるとともに、相対向する前記両端部間の寸法をネジで調節可能に形成された一組のタイロッドとを有することを特徴とするコンクリート構造物の型枠の固定装置。
【請求項２】
請求項１に記載するコンクリート構造物の型枠の固定装置において、
前記横断面形状は相対向する部分が曲線形状であり、各曲線形状の両端部同士を直線で結んだトラック形状であることを特徴とするコンクリート構造物の型枠の固定装置。
【請求項３】
請求項１又は請求項２に記載するコンクリート構造物の型枠の固定装置において、
前記タイロッドは両端部に形成した雄ネジ部を介して各雄ネジ部に螺合されるナットで前記寸法を調整可能に前記アングルバンドに固定されるように構成したことを特徴とするコンクリート構造物の型枠の固定装置。
【請求項４】
請求項１又は請求項２に記載するコンクリート構造物の型枠の固定装置において、
前記タイロッドはそれぞれの一端部が前記バンドの一方に固着されるとともに、それぞれの他端部がターンバックルを介して前記寸法を調整可能に前記バンドの他方に連結されていることを特徴とするコンクリート構造物の型枠の固定装置。
【発明の詳細な説明】
【技術分野】
【０００１】
本発明はコンクリート構造物の型枠の固定装置に関し、特に曲線部を有するコンクリート構造物の型枠の固定に用いて有用なものである。
【背景技術】
【０００２】
コンクリート構造物は、合板等で型枠を作り、この型枠内にコンクリートを流し込むことにより建設するのが一般的である。このため型枠はその外周を固定装置で固定してあり、このように固定した状態でコンクリートを流し込んでいる。
【０００３】
図６は従来技術に係るこの種の固定装置を型枠とともに示す。同図に示すように、型枠１は、その横断面における周面形状の相対向する部分が曲線形状であり、各曲線形状の両端部同士を直線で結んだトラック形状のものとして形成してある。したがって、この型枠１内にコンクリートを流し込んで形成するコンクリート構造物も同様のトラック形状である。かかる、横断面形状がトラック形状のコンクリート構造物は特に大型の建造物において多数採用されている。
【０００４】
ここで、型枠１はその内部にコンクリートを流し込んでも型崩れを生起しないようにその外周面に固定装置を装着してある。従来技術に係る固定装置２はチェーン３，４と２個のターンバックル５，６からなり、型枠１の曲線形状の部分を含む、相対向する外周面にそれぞれチェーン３，４を当接させて各チェーン３，４の一方の側の端部同士と、他方の側の端部同士とをターンバックル５，６で連結するようになっている。さらに詳言すると、図６のＤ部分を抽出・拡大した図７に明示する通り、ターンバックル５は中央部の枠体７の両端部に形成した雌ネジ部に、先端にフック部８，９を有する２本のロッド状部材１０，１１の雄ネジ部を螺合させて構成したものである。したがって、フック部８をチェーン３の一方の端部に係止するとともに、フック部９をチェーン４の一方の端部に係止して枠体７をロッド状部材１０，１１の軸周りに回転させることによりチェーン３，４間の間隔を任意に調整し得る。なお、ターンバックル６もターンバックル５と全く同一構成である。
【０００５】
したがって、型枠１の外周面に沿わせて配設したチェーン３，４の両端部同士をターンバックル５，６で連結してこれを操作することにより、チェーン３，４の両端部における間隔を任意に調整し得る。そこで、ターンバックル５，６の操作によりチェーン３，４を型枠１の外周面に押し付けることにより当該固定装置２で型枠１を固定することができる。
【０００６】
なお、曲線型枠に関する技術を開示する公知文献として特許文献１を挙げることができる。ちなみに、特許文献１は、曲線を形成するための型枠を容易に組み立てることを目的とした曲線成型枠の組立て方法を開示するものである。
【特許文献１】特開２００２−２０１７１０号公報
【発明の開示】
【発明が解決しようとする課題】
【０００７】
ところで、上述の如き従来技術に係る固定装置２においてはチェーン３，４を用いていたので、型枠１の種々の横断面形状に柔軟に対応して所定の固定を行うことができるが、緩みを発生し易いという問題を生起していた。特に、曲線形状にチェーン３，４を沿わせて固定する場合には、チェーン３，４と型枠１との間に隙間を生起し易いため固定後の緩みを発生し易い。この結果、生コンクリートの打設時の型枠１の全体的な安定性と変形防止に難がある。
【０００８】
本発明は、上記従来技術の問題点に鑑み、内部にコンクリートが流し込まれる型枠の緩みを生起することなく強固に固定し得るコンクリート構造物の型枠の固定装置を提供することを目的とする。
【課題を解決するための手段】
【０００９】
上記課題を解決する本発明の第１の態様は、
コンクリート構造物の横断面形状において相対向する部分の形状にそれぞれ沿うように形成した一組のバンドと、一方の前記バンドの両端部と他方の前記バンドの相対向する両端部との間にそれぞれ連結されるとともに、相対向する前記両端部間の寸法をネジで調節可能に形成された一組のタイロッドとを有することを特徴とするコンクリート構造物の型枠の固定装置にある。
【００１０】
本発明の第２の態様は、
第１の態様に記載するコンクリート構造物の型枠の固定装置において、前記横断面形状は相対向する部分が曲線形状であり、各曲線形状の両端部同士を直線で結んだトラック形状であることを特徴とするコンクリート構造物の型枠の固定装置にある。
【００１１】
本発明の第３の態様は、
第１又は第２の態様に記載するコンクリート構造物の型枠の固定装置において、前記タイロッドは両端部に形成した雄ネジ部を介して各雄ネジ部に螺合されるナットで前記寸法を調整可能に前記アングルバンドに固定されるように構成したことを特徴とするコンクリート構造物の型枠の固定装置にある。
【００１２】
本発明の第４の態様は、
第１又は第２の態様に記載するコンクリート構造物の型枠の固定装置において、
前記タイロッドはそれぞれの一端部が前記バンドの一方に固着されるとともに、それぞれの他端部がターンバックルを介して前記寸法を調整可能に前記バンドの他方に連結されていることを特徴とするコンクリート構造物の型枠の固定装置にある。
【発明の効果】
【００１３】
本発明によれば、型枠の横断面形状において相対向する部分の形状にそれぞれ沿うように形成した一組のバンドを、型枠の外周面に当接させているので、かかる状態における型枠の外周面とバンドの当接面との間の隙間を可及的に低減することができる。さらに、かかる状態で相対向するバンドの両端部同士の寸法を調整可能にタイロッドで連結しているので、型枠はバンド及びタイロッドで緊縛され、しかもバンドと型枠の外周面との間には隙間を生起することもない。したがって、バンドの当接面が例え曲線であっても型枠の全体的な安定性と変形防止を良好に図ることができる。
【発明を実施するための最良の形態】
【００１４】
以下、本発明の実施の形態を図面に基づき詳細に説明する。
【００１５】
＜第１の実施の形態＞
図１は、本発明の第１の実施の形態に係るコンクリート構造物の型枠の固定装置を示す説明図、図２はそのＡ部分を抽出・拡大して示す拡大図である。両図に示すように、本形態に係る固定装置１２は、アングルバンド１３，１４及びタイロッド１５，１６を有している。ここで、アングルバンド１３，１４は型枠１の横断面形状において相対向する部分の形状にそれぞれ沿うように形成してある。本形態における型枠１は、図６に示す従来技術と同様に、その横断面における周面形状の相対向する部分が曲線形状であり、各曲線形状の両端部同士を直線で結んだトラック形状のものとして形成してある。したがって、本形態におけるアングルバンド１３，１４は型枠１の曲線形状に正確に沿うように成型してある。すなわち、型枠１の横断面形状において相対向する曲線部分の形状にそれぞれ沿う形状となっている。かかる、アングルバンド１３，１４はアングル鋼で好適に形成することができる。
【００１６】
タイロッド１５，１６は、一方のアングルバンド１３の両端部と他方のアングルバンド１４の相対向する両端部との間にそれぞれ連結されるとともに、相対向する前記両端部間の寸法をネジで調節可能に形成してある。さらに詳言すると、タイロッド１５，１６の両端部には雄ネジ部１５ａ，１５ｂ，１６ａ，１６ｂがそれぞれ形成してあり、しかもタイロッド１５，１６の両端部はアングルバンド１３，１４の両端部に一体的に固着された固定部材１３ａ，１４ａ，１３ｂ，１４ｂを貫通している。かかる状態で、タイロッド１５，１６の両端部の雄ネジ部１５ａ，１５ｂ，１６ａ，１６ｂには、それぞれナット１５ｃ，１５ｄ，１６ｃ，１６ｄが螺合させてある。
【００１７】
かかる本形態において、固定装置１２により型枠１を固定する際には、アングルバンド１３，１４を型枠１の曲線部に当接させ、かかる状態でアングルバンド１３，１４間に配設したタイロッド１５，１６にナット１５ｃ，１５ｄ，１６ｃ，１６ｄを螺合させてアングルバンド１３，１４間の寸法が縮小されるように締め上げれば良い。ここで、アングルバンド１３，１４は予め型枠１の当接部分に沿うような形状に成型されているので、型枠１を良好に緊縛できる。この結果、型枠１の全体的な安定性と変形防止を良好に図ることができる。
【００１８】
＜第２の実施の形態＞
図３は、本発明の第２の実施の形態に係るコンクリート構造物の型枠の固定装置を示す説明図、図４はそのＢ部分を抽出・拡大して示す拡大図、図５はそのＣ部分を抽出・拡大して示す拡大図である。これらの図に示すように、本形態に係る固定装置２２は、プレートバンド２３，２４及びタイロッド２５，２６を有している。ここで、プレートバンド２３，２４は型枠１の横断面形状において相対向する部分の形状にそれぞれ沿うように形成してある。本形態における型枠１も、図６に示す従来技術と同様のトラック形状のものとして形成してある。したがって、本形態におけるアングルバンド１３，１４は型枠１の曲線形状に正確に沿うように成型してある。すなわち、型枠１の横断面形状において相対向する曲線部分の形状にそれぞれ沿う形状となっている。かかる、プレートバンド２３，２４は平鋼で好適に形成することができる。
【００１９】
タイロッド２５，２６の一端部は、一方のプレートバンド２３の両端部にそれぞれ溶接２７，２８により固着されている。またタイロッド２５，２６の他端部は、図６及び図７に基づき説明したものと同様のターンバックル５，６を介してプレートバンド２３，２４間の寸法を調整可能に他方のプレートバンド２４に連結されている。さらに詳言すると、タイロッド２５，２６の端部にはリング部２７ａ，２８ａが、またプレートバンド２４の両端部にはリング部２４ａ，２４ｂがそれぞれ一体的に設けてあり、リング部２７ａ，２４ａ間にターンバックル５のフック部８，９を係止するとともにリング部２８ａ，２４ｂ間にターンバックル６のフックを係止する。かかる状態でターンバックル５，６を回転すれば、プレートバンド２３，２４間の寸法を調整し得る。
【００２０】
かかる本形態において、固定装置２２により型枠１を固定する際には、プレートバンド２３，２４を型枠１の曲線部に当接させ、かかる状態でタイロッド２５，２６とプレートバンド２４間をターンバックル５，６で連結するとともに、ターンバックル５，６を所定の方向に回転してプレートバンド２３，２４間の寸法が縮小されるように締め上げれば良い。ここで、プレートバンド２３，２４は予め型枠１の当接部分に沿うような形状に成型されているので、型枠１を良好に緊縛できる。この結果、型枠１の全体的な安定性と変形防止を良好に図ることができる。
【００２１】
なお、上記実施の形態において述べた型枠１はその横断面形状がトラック形状のものであるが、これは矩形等他の形状であっても構わない。ただ、外周面形状に沿うバンドを予め成型しておく点を考慮すれば、チェーンでは隙間ができやすい曲面の場合により顕著な緊締効果を得ることができる。
【産業上の利用可能性】
【００２２】
本発明はコンクリート構造物を発注、施工する建築産業分野において有効に利用し得るものである。
【図面の簡単な説明】
【００２３】
【図１】本発明の第１の実施の形態に係るコンクリート構造物の型枠の固定装置を示す説明図である。
【図２】図１のＡ部分を抽出・拡大して示す拡大図である。
【図３】本発明の第２の実施の形態に係るコンクリート構造物の型枠の固定装置を示す説明図である。
【図４】図３のＢ部分を抽出・拡大して示す拡大図である。
【図５】図３のＣ部分を抽出・拡大して示す拡大図である。
【図６】従来技術に係るコンクリート構造物の型枠の固定装置を示す説明図である。
【図７】図６のＤ部分を抽出・拡大して示す拡大図である。
【符号の説明】
【００２４】
１                型枠
５，６            ターンバックル
１２                固定装置
１３，１４          アングルバンド
１５，１６          タイロッド
２２                固定装置
２３，２４          プレートバンド
２５，２６          タイロッド
【図１】
2010059671.tif 000003
【図２】
2010059671.tif 000004
【図３】
2010059671.tif 000005
【図４】
2010059671.tif 000006
【図５】
2010059671.tif 000007
【図６】
2010059671.tif 000008
【図７】
2010059671.tif 000009